(57)【要約】【課題】常に高品質な画像を得ることができる画像形成装置を提供すること目的とする。【解決手段】画像信号に応じて変調された光ビームを主走査方向に偏向し走査する光ビーム走査装置と、前記光ビーム走査装置により走査される光ビームを主走査線上の複数箇所で検出する光ビーム検出装置と、像担持体上に前記光ビーム走査装置で形成された潜像を可視化する現像装置と、前記光ビーム検出装置を用いて主走査の走査時間を計測する時間差計測手段と、前記時間差計測手段で計測した時間差により主走査方向の倍率を補正する倍率補正手段を備えた画像形成装置において、前記光ビーム走査装置が消灯状態から点灯状態になるとき前記時間差計測手段から得られたデータを元に前記倍率補正手段を用いて倍率を補正するようにした。【選択図】        図６
2006181923.tif 000002
【特許請求の範囲】
【請求項１】
画像信号に応じて変調された光ビームを主走査方向に偏向し走査する光ビーム走査装置と、前記光ビーム走査装置により走査される光ビームを主走査線上の複数箇所で検出する光ビーム検出装置と、像担持体上に前記光ビーム走査装置で形成された潜像を可視化する現像装置と、前記光ビーム検出装置を用いて主走査の走査時間を計測する時間差計測手段と、前記時間差計測手段で計測した時間差により主走査方向の倍率を補正する倍率補正手段を備えた画像形成装置において、
前記光ビーム走査装置が消灯状態から点灯状態になるとき前記時間差計測手段から得られたデータを元に前記倍率補正手段を用いて倍率を補正することを特徴とする画像形成装置。
【請求項２】
前記倍率補正手段を用いて倍率補正が完了した後に書込準備が完了したとする制御手段をさらに備えたことを特徴とした請求項１記載の画像形成装置。
【請求項３】
主走査方向における光パワーの強度分布の設定完了した後に書込準備が完了したとする制御手段をさらに備えたことを特徴とした請求項１または請求項２記載の画像形成装置。
【請求項４】
各転写紙に応じた設定が完了した後に書込準備が完了したとする制御手段をさらに備えたことを特徴とした請求項１または請求項２または請求項３記載の画像形成装置。
【請求項５】
前記倍率補正手段として１画素単位で任意の画素の周期時間を変更することにより倍率補正を行う位相変調手段を備えたことを特徴とした請求項１または請求項２または請求項３記載の画像形成装置。
【請求項６】
一つあるいは複数の前記光ビーム走査装置と、一つあるいは複数の前記像担持体と、複数の前記現像装置を備え、カラー画像を形成することを特徴とする請求項１または請求項２または請求項３または請求項４または請求項５記載の画像形成装置。
【請求項７】
一つあるいは複数の前記光ビーム走査装置と、一つあるいは複数の前記像担持体と、複数の前記現像装置を備え各色で独立して書込準備が完了したとする制御手段をさらに備えたことを特徴とした請求項６記載の画像形成装置。
【請求項８】
一つあるいは複数の前記光ビーム走査装置と、一つあるいは複数の前記像担持体と、複数の前記現像装置を備え全色で書込準備が完了したとき全体として書き込み準備が完了したとする制御手段をさらに備えたことを特徴とする請求項６記載の画像形成装置。
【請求項９】
複数の前記像担持体と、複数の前記現像装置を備えたカラー現像装置で、書込準備設定を書き出しの早い色から実行することを特徴とする請求項６記載の画像形成装置。
【発明の詳細な説明】
【技術分野】
【０００１】
本発明は、画像信号に応じて変調された光ビームを主走査方向に偏向し走査する光ビーム走査装置と、前記光ビーム走査装置により走査される光ビームを主走査線上の複数箇所で検出する光ビーム検出装置と、像担持体上に前記光ビーム走査装置で形成された潜像を可視化する現像装置と、前記光ビーム検出装置を用いて主走査の走査時間を計測する時間差計測手段と、前記時間差計測手段で計測した時間差により主走査方向の倍率を補正する倍率補正手段を備えた画像形成装置に関する。
【背景技術】
【０００２】
従来、画像信号により変調された光ビーム（光ビーム）を、画像光として発生し、その画像光を感光体へ走査書込することで、感光体上に印刷物あるいは複写物の静電潜像を形成する光書込手段を備え、静電写真プロセスにより画像を形成する画像形成装置は、光ビームを感光体へ走査する手段として、例えばポリゴンモータなどの偏向手段を備えている。また、感光体上の画像のゆがみを補正するために、画像光の光路上にｆθレンズ等の光学補正手段を配設している。
【０００３】
しかしながら、この画像形成装置において、ｆθレンズの素材としてプラスチックを用いた場合、素材の線膨張係数が比較的大きく、環境温度の変化や、装置内温度の変化などによるｆθレンズの形状、屈折率の変化によるビームスポットずれが無視できなくなる。
【０００４】
また同様に、複数の色成分用の光書込手段を備えたカラー画像形成装置では、それぞれの色成分の光書込手段の光ビームの波長の変化、ばらつきなどにより、各々のビームにおいて屈折率が変化し、これによるビームスポットずれが無視できなくなる。このため、感光体の像面での走査位置が変化して主走査方向の倍率誤差が発生し、高品位の画像が得られなくなるという問題があった。
【０００５】
このようなことから環境温度の変化や、装置内温度の変化等によって発生する画像の倍率誤差、色ずれを補正するため、主走査内の２箇所で光ビーム検知手段により光ビームを検知し、１つの光ビーム検知手段で検知してから他の光ビーム検知手段で検知するまでの時間を計測し、計測結果に応じて画像信号の周波数や位相を補正し、各光ビームの走査倍率を補正するようにしている（特許文献１，２参照）。
【特許文献１】特開２００２−２９０８５号公報
【特許文献２】特開２００３−１８５９５３号公報
【発明の開示】
【発明が解決しようとする課題】
【０００６】
本発明は、かかる実情に鑑みてなされたものであり、常に高品質な画像を得ることができる画像形成装置を提供すること目的とする。
【課題を解決するための手段】
【０００７】
本発明は、画像信号に応じて変調された光ビームを主走査方向に偏向し走査する光ビーム走査装置と、前記光ビーム走査装置により走査される光ビームを主走査線上の複数箇所で検出する光ビーム検出装置と、像担持体上に前記光ビーム走査装置で形成された潜像を可視化する現像装置と、前記光ビーム検出装置を用いて主走査の走査時間を計測する時間差計測手段と、前記時間差計測手段で計測した時間差により主走査方向の倍率を補正する倍率補正手段を備えた画像形成装置において、前記光ビーム走査装置が消灯状態から点灯状態になるとき前記時間差計測手段から得られたデータを元に前記倍率補正手段を用いて倍率を補正するようにしたものである。
【０００８】
また、前記倍率補正手段を用いて倍率補正が完了した後に書込準備が完了したとする制御手段をさらに備えたものである。
【０００９】
また、主走査方向における光パワーの強度分布の設定完了した後に書込準備が完了したとする制御手段をさらに備えたものである。
【００１０】
また、各転写紙に応じた設定が完了した後に書込準備が完了したとする制御手段をさらに備えたものである。
【００１１】
また、前記倍率補正手段として１画素単位で任意の画素の周期時間を変更することにより倍率補正を行う位相変調手段をさらに備えたものである。
【００１２】
また、一つあるいは複数の前記光ビーム走査装置と、一つあるいは複数の前記像担持体と、複数の前記現像装置を備え、カラー画像を形成するものである。
【００１３】
また、一つあるいは複数の前記光ビーム走査装置と、一つあるいは複数の前記像担持体と、複数の前記現像装置を備え各色で独立して書込準備が完了したとする制御手段をさらに備えたものである。
【００１４】
また、一つあるいは複数の前記光ビーム走査装置と、一つあるいは複数の前記像担持体と、複数の前記現像装置を備え全色で書込準備が完了したとき全体として書き込み準備が完了したとする制御手段をさらに備えたものである。
【００１５】
また、複数の前記像担持体と、複数の前記現像装置を備えたカラー現像装置で、書込準備設定を書き出しの早い色から実行するようにしたものである。
【発明の効果】
【００１６】
したがって、本発明によれば、転写紙を出力するときや、各種制御を行うときなどの光ビームが点灯するタイミングで倍率補正制御を行うようにしているので、光ビームが点灯するときには倍率が合う状態となり、その結果、形成される画像の画質を向上することができる。
【発明を実施するための最良の形態】
【００１７】
以下、添付図面を参照しながら、本発明の実施の形態を詳細に説明する。
【００１８】
図１は、本発明の一実施例にかかるカラー画像形成装置の画像形成系の一例を示している。この画像形成系は、複数の色成分の画像を形成する色成分画像形成部を、中間転写ベルトの移動方向に沿って配列し、この複数の色成分画像形成部で形成する色成分の画像を中間転写ベルトに順次重ねることで、その中間転写ベルト上にカラー画像を形成するタンデム型カラー画像形成手段を有している。
【００１９】
同図において、中間転写ベルト１は、搬送ローラ２，３，４，５に巻回されており、矢印ＲＡ方向に無限駆動される。この中間転写ベルト１の搬送ローラ３，４の間には、搬送方向の上流から下流に向けて、シアン色成分の画像を形成するシアン色成分画像形成部６、マゼンタ色成分の画像を形成するマゼンタ色成分画像形成部７、イエロー色成分の画像を形成するイエロー色成分画像形成部８、および、黒色成分の画像を形成する黒色成分画像形成部９がそれぞれ配設されている。
【００２０】
シアン色画像形成部６において、感光体ドラム６ａは、帯電器６ｂにより表面が帯電され、光書込ユニット１０から出力されるシアン画像光によりその表面が露光されて、シアン画像に対応した静電潜像が形成される。この静電潜像は、現像器６ｃによりトナー現像され、転写器６ｄにより、中間転写ベルト１の所定の転写位置の表面に転写される。また、感光体ドラム６ａ上の残留トナーはクリーニングユニット６ｅにより除去され、残留電荷は除電装置６ｆにより除電される。
【００２１】
また、マゼンタ色画像形成部７において、感光体ドラム７ａは、帯電器７ｂにより表面が帯電され、光書込ユニット１０から出力されるマゼンタ画像光によりその表面が露光されて、シアン画像に対応した静電潜像が形成される。この静電潜像は、現像器７ｃによりトナー現像され、転写器７ｄにより、中間転写ベルト１の所定の転写位置の表面に転写される。これにより、中間転写ベルト１の所定の転写位置の表面には、シアン色成分トナー画像とマゼンタ色成分トナー画像が重ねて転写されることとなる。また、感光体ドラム７ａ上の残留トナーはクリーニングユニット７ｅにより除去され、残留電荷は除電装置７ｆにより除電される。
【００２２】
また、イエロー色画像形成部８において、感光体ドラム８ａは、帯電器８ｂにより表面が帯電され、光書込ユニット１０から出力されるイエロー画像光によりその表面が露光されて、イエロー画像に対応した静電潜像が形成される。この静電潜像は、現像器８ｃによりトナー現像され、転写器８ｄにより、中間転写ベルト１の所定の転写位置の表面に転写される。これにより、中間転写ベルト１の所定の転写位置の表面には、シアン色成分トナー画像と、マゼンタ色成分トナー画像と、イエロー色成分トナー画像が重ねて転写されることとなる。また、感光体ドラム８ａ上の残留トナーはクリーニングユニット８ｅにより除去され、残留電荷は除電装置８ｆにより除電される。
【００２３】
また、黒色画像形成部９において、感光体ドラム９ａは、帯電器９ｂにより表面が帯電され、光書込ユニット１０から出力される黒（白黒）画像光によりその表面が露光されて、黒（白黒）画像に対応した静電潜像が形成される。この静電潜像は、現像器９ｃによりトナー現像され、転写器９ｄにより、中間転写ベルト１の所定の転写位置の表面に転写される。これにより、中間転写ベルト１の所定の転写位置の表面には、シアン色成分トナー画像と、マゼンタ色成分トナー画像と、イエロー色成分トナー画像と、黒色成分トナー画像が重ねて転写され、それにより、フルカラートナー画像が中間転写ベルト１の所定の転写位置の表面上で完成することとなる。また、感光体ドラム９ａ上の残留トナーはクリーニングユニット９ｅにより除去され、残留電荷は除電装置９ｆにより除電される。
【００２４】
一方、給紙台（図示略）に載置されている転写紙１２は、給紙ローラ対（図示略）により一番上のものがピックアップされて矢印ＲＢ方向へ搬送され、中間転写ベルト１の表面のフルカラートナー画像と位置合わせされた状態で、搬送ローラ５に当接する転写ローラ１３へと送り出され、転写ローラ１３により、中間転写ベルト１の表面に形成されたフルカラートナー画像がその表面に転写される。
【００２５】
転写後の転写紙１２は、定着器１４へ送り込まれ、その表面に転写されたフルカラートナー画像が熱定着されて、外部のスタック等へ排出される。
【００２６】
また、搬送ローラ５の近傍には、中間転写ベルト１の表面に形成されるトナー画像を除去するためのクリーニングユニット１５が設けられている。また、トナーマークセンサ１６は、所定の基準マークおよびトナーマークを検出するためのものである。
【００２７】
図２は、光書込装置１０の１つの色成分について、制御系の一例を示している。
【００２８】
同図において、ＬＤ（レーザダイオード）変調装置２１は、画素クロックＰＣＬＫに同期して、画像信号ＰＰにより変調された点灯信号を形成するものであり、その出力信号により、レーザダイオード２２が点灯駆動される。
【００２９】
レーザダイオード２２より出力される画像光は、図示しないコリメートレンズにより絞られてビーム状となり、高速回転するポリゴンミラー２３の表面で偏向され、ｆθレンズ２４を介して感光体２５へと導かれ、感光体２５の１つの主走査線の情報を書き込む。
【００３０】
また、感光体２５の主走査方向の両端の外側には、画像光を受光可能な位置に２つの光センサ２６，２７が配設されている。光センサ２６は、主走査開始直前の画像光を検出するものであり、その検出信号ＤＥＴＰ１は、時間差測定部２８および画素クロック生成回路２９へ加えられている。また、光センサ２７は、主走査終了直後の画像光を検出するものであり、その検出信号ＤＥＴＰ２は、時間差測定部２８へ加えられている。
【００３１】
時間差測定部２８は、検出信号ＤＥＴＰ１が発生してから検出信号ＤＥＴＰ２が発生するまでの時間を測定するものであり、その測定結果は、倍率補正制御部３０へ加えられている。
【００３２】
倍率補正制御部３０は、主制御部（図示略）から設定された書込クロック周波数および位相調整値の初期設定値または／かつ現在の設定値を記憶する記憶部を有し、書込クロックの周波数によって主走査方向の画像倍率が変わることを利用して、また書込クロック調整単位では、調整することが出来ない微少時間を位相をシフトすることにより画像倍率が変わることを利用して、最適な書込クロック周波数及び位相調整値を算出する機能を有し、または／かつ書込クロック周波数を固定して、最適な位相調整値を算出する機能を有し、前記位相調整値と主制御部から設定された基準値を比較する機能を有し、主制御部の設定により、書込クロック設定および位相調整を実施する制御信号ＰＤを画素クロック生成回路２９へ出力する。
【００３３】
図３は、画素クロック生成回路２９の一例を示している。
【００３４】
同図において、発振器２９ａは、高周波クロックＶＣＬＫを発生するものであり、その高周波クロックＶＣＬＫは、カウンタ２９ｂに加えられている。カウンタ２９ｂは、高周波クロックＶＣＬＫを計数するものであり、その計数値は、比較回路２９ｃへ出力されるとともに、比較回路２９ｃから出力されるリセット信号ＲＲにより、その計数値がリセットされる。
【００３５】
カウンタ２９ｃは、制御信号ＰＤの値とカウンタ２９ｃの計数値とを比較演算するものであり、その比較結果に応じて、制御信号ＳＣａ，ＳＣｂおよびリセット信号ＲＲを形成する。制御信号ＳＣａ，ＳＣｂは、画素クロック制御回路２９ｄに出力され、また、リセット信号ＲＲは、カウンタ２９ｂに出力される。
【００３６】
画素クロック制御信号２９ｄは、制御信号ＳＣａ，ＳＣｂに従って画素クロックＰＣＬＫを形成し、出力するものである。
【００３７】
この画素クロック生成回路２９の動作について図４のタイミング図を用いて説明する。ここでは、画素クロックＰＣＬＫは高周波クロックＶＣＬＫの８分周とし、標準ではデュティ比５０とする。
【００３８】
同図（ａ）は高周波クロックＶＣＬＫの８分周に相当するデュティ比５０％の標準の画素クロックＰＣＬＫを生成する様子を、同図（ｂ）は高周波クロックＶＣＬＫの８分周クロックに対して１／８クロックだけ位相を進めた画素クロックＰＣＬＫを生成する様子を、同図（ｃ）は高周波クロックＶＣＬＫの８分周クロックに対して１／８クロックだけ位相を遅らせた画素クロックＰＣＬＫを生成する様子を、それぞれ示している。
【００３９】
まず、同図（ａ）の場合、ここでは位相データＰＤとして「７」の値が与えられている。比較回路２９ｃには、あらかじめ「３」が設定されている。カウンタ２９ｂは高周波クロックＶＣＬＫの立上がりで動作しカウントを行う。比較回路２９ｃでは、まずカウンタ２９ｂの値が「３」になったところで制御信号ＳＣａを出力する。
【００４０】
画素クロック制御回路２９ｄは、制御信号ＳＣａが”Ｈ”になっていることから時刻ｔ１のクロックのタイミングで画素クロックＰＣＬＫを”Ｈ”から”Ｌ”に遷移させる。
【００４１】
次に比較回路２９ｃでは、与えられた位相データＰＤとカウンタ値を比較し、一致したら制御信号ＳＣｂを出力する。この場合、では、カウンタ２９ｂの値が「７」になったところで、比較回路２９ｃは制御信号ＳＣｂを出力する。
【００４２】
画素クロック制御回路２９ｄは、制御信号ＳＣｂが”Ｈ”になっていることから時刻ｔ２のクロックのタイミングで画素クロックＰＣＬＫを”Ｌ”から”Ｈ”に遷移させる。
【００４３】
この時、比較回路２９ｃでは同時にリセット信号ＲＲを出力してカウンタ２９ｂをリセットさせ、再び０からカウントを行わせて行く。
【００４４】
これにより、図４（ａ）に示すように、高周波クロックＶＣＬＫの８分周に相当するデュティ比５０％の画素クロックＰＣＬＫを生成することができる。なお、比較回路の設定値を変えれば、デュティ比が変化する。
【００４５】
次に、図４（ｂ）ついて説明する。ここでは位相データＰＤとして「８」を与えるとする。カウンタ２９ｂは高周波クロックＶＣＬＫのカウントを行う。比較回路２９ｃでは、まずカウンタ２９ｂの値が「３」になったところで制御信号ＳＣａを出力する。
【００４６】
画素クロック制御回路２９ｄは、制御信号ＳＣａが”Ｈ”になっていることから時刻ｔ１のクロックのタイミングで画素クロックＰＣＬＫを”Ｈ”から”Ｌ”に遷移させる。
【００４７】
次に比較回路２９ｃでは、カウンタ２９ｂの値が与えられた位相データＰＤ（ここでは８）と一致したら制御信号ＳＣｂを出力する。
【００４８】
画素クロック制御回路２９ｄは、制御信号ＳＣｂが”Ｈ”になっていることから時刻ｔ２のクロックのタイミングで画素クロックＰＣＬＫを”Ｌ”から”Ｈ”に遷移させる。
【００４９】
この時、比較回路２９ｃでは同時にリセット信号ＲＲを出力してカウンタ２９ｂをリセットさせ、再び０からカウントを行わせて行く。
【００５０】
これにより、図４（ｂ）に示すように、高周波クロックＶＣＬＫの８分周クロックに対して１／８クロックだけ位相を進ませた画素クロックＰＣＬＫを生成することができる。
【００５１】
次に、図４（ｃ）について説明する。ここでは位相データとして「６」を与えるとする。カウンタ２９ｂは高周波クロックＶＣＬＫのカウントを行う。比較回路２９ｃでは、まずカウンタの値が「３」になったところで制御信号ＳＣａを出力する。
【００５２】
画素クロック制御回路２９ｄは、制御信号ＳＣａが”Ｈ”になっていることから時刻ｔ１のクロックのタイミングで画素クロックＰＣＬＫを”Ｈ”から”Ｌ”に遷移させる。
【００５３】
次に比較回路２９ｃでは、カウンタ２９ｂの値が与えられた位相データＰＤ（ここでは６）と一致したら制御信号ＳＣｂを出力する。
【００５４】
画素クロック制御回路２９ｄは、制御信号ＳＣｂが”Ｈ”になっていることから時刻ｔ２のクロックのタイミングで画素クロックＰＣＬＫを”Ｌ”から”Ｈ”に遷移させる。
【００５５】
この時、同時にリセット信号ＲＲを出力してカウンタ２９ｂをリセットさせ再び０からカウントを行わせて行く。
【００５６】
これにより、図４（ｃ）に示すように、高周波クロックＶＣＬＫの８分周クロックに対して１／８クロックだけ位相を遅らせた画素クロックPLCKを生成することができる。
【００５７】
なお、位相データを、例えば画素クロックＰＣＬＫの立上がりに同期させて与えることにより、画素クロックＰＣＬＫの位相を１クロックごとに変化させることが可能となる。図５は、これを示したタイミング図である。
【００５８】
図６は、上述したような検出信号ＤＥＴＰ１と検出信号ＤＥＴＰ２を用いて倍率補正を行う際の処理の一例を示している。
【００５９】
まず、検出信号ＤＥＴＰ１と検出信号ＤＥＴＰ２から時間差計測部２８で時間差を計測し（処理１０１）、次に、主制御部で時間差値から書き込みクロック設定値と位相調整値を算出する（処理１０２）。そして、画素クロック生成部２９で書込クロック設定及び位相調整の実施する（処理１０３）。
【００６０】
次に、光パワー強度設定制御について説明する。ここで、書き込みに関しては特性の一つにシェーディング特性がある。
【００６１】
図７を参照して、主走査方向のパワー差が出来る要因を説明する。もともと、ポリゴンミラー２３による走査は等角走査となるため、円弧状にビームが走査される。このままだと、点線で図示したように、感光体２５上（直線上）で見ると走査端部と中央で著しい倍率差ができ、中央は密になり、端部は粗になって画像が間延びする。
【００６２】
これを中央でも端部でもほぼ等しい倍率とするためにｆθレンズ２４を用いる。ｆθレンズ２４を通したときは同図に実線で示したように等しい倍率に補正され画像のひずみが無くなる。ただし、端部は極端な屈折をさせるため、光透過率が落ち、感光体上では端部の光パワーが落ちてしまう。
【００６３】
例えば、図８に示すように、感光体２５の面上の位置でパワーメータＰＭで測定すると、図９に示すように、端部のパワーが落ちた状態になっている。
【００６４】
これを補正するには、図１０のように平均パワーの逆数を補正値として持っておけば演算で均一なパワーにすることが出来る。すなわち、主走査の走査時に、場所によって図１０のような補正値のパワーで光らせることで感光体上のパワーが均一になる。
【００６５】
さて、本実施例における図７に示した補正動作は、例えば、レーザダイオード２２が点灯したとき、すなわち、コピーボタンが押されたきや、ネットワーク越しでプリントデータが送られてきたとき、テストパターンを書くときなどに行う。
【００６６】
これにより、光ビームが点灯するときは転写紙を出力するときか、各種制御を行うときであり、その際に倍率補正制御を行うようにしているので、実際に光ビームが点灯するときには倍率が合う状態となり、その結果、画質の良好な画像を形成することができる。
【００６７】
また、上述したような補正動作が終了し、主走査の倍率補正が終るまで書き込みレディとせず、レジストで転写紙を止めるように制御する。
【００６８】
これにより、作像中に倍率補正制御を行ってしまうような事態が発生することを回避することができる。
【００６９】
また、上述した倍率補正のための制御とシェーディング補正が終るまで書き込みレディとしないように制御する。通常、レーザダイオード２２の点灯時はレーザダイオード２２の初期化を行い、その後にシェーディング補正のデータセットを毎回行っている。この場合、さらに、倍率補正を追加した構成である。
【００７０】
したがって、光パワーの強度分布の補正が完了する前に作像動作を行ってしまうことがなく、その結果、良好な画質の画像を形成することができる。
【００７１】
また、さらに、転写紙に応じた設定、すなわち紙サイズ、レジスト位置、解像度等の設定ができたときに書き込みレディとするように制御を構成することができる。
【００７２】
この場合、転写紙に応じた設定が完了する前に作像動作を行ってしまうという事態を回避することができる。
【００７３】
また、倍率補正制御に位相変調手段を用いるようにしているので、より高精度な倍率補正制御ができ、高品質な画像を出力する装置が提供できる。
【００７４】
また、各色成分について、それぞれ倍率補正制御を行うので、より良質なカラー画像を形成することができる。
【００７５】
また、構成はタンデムドラム一色ずつの制御で一色ごとに書き込みレディを出すようにすることで、各色で独立した制御を行い、ファーストプリント時の速度低下を起こすような事態を回避することができる。
【００７６】
また、タンデムドラム一色ずつの制御で一色ごとに書き込みレディを出し、全色分書込レディが揃ったときシステムとして書き込みレディを出すようにすることで、全色で書込レディが出ることを待つことにより安定した制御を行うことができる。
【００７７】
また、複数のタンデムドラムが、例えば、ＣＭＹＫと並んでいた場合、書き出しの早い色から順番に倍率補正を実行することにより、補正制御が終った色から作像していくことで作像中に倍率補正制御を行ってしまうことを未然に防ぐことができる。
【図面の簡単な説明】
【００７８】
【図１】本発明の一実施例にかかるカラー画像形成装置の画像形成系の一例を示した概略構成図。
【図２】光書込装置１０の１つの色成分について、制御系の一例を示したブロック図。
【図３】画素クロック生成回路２９の一例を示したブロック図。
【図４】画素クロック生成回路２９の動作について説明するためのタイミング図。
【図５】画素クロックＰＣＬＫの位相を１クロックごとに変化させる説明のためのタイミング図。
【図６】検出信号ＤＥＴＰ１と検出信号ＤＥＴＰ２を用いて倍率補正を行う際の処理の一例を示したフローチャート。
【図７】主走査方向のパワー差が出来る要因を説明するための概略図。
【図８】感光体２５の面上の位置でパワーメータＰＭで測定する様子を示す概略図。
【図９】測定したパワー分布の一例を示すグラフ図。
【図１０】パワー分布を解消するためのパワー補正の一例を示すグラフ図。
【符号の説明】
【００７９】
２６，２７  光センサ
２８  時間差測定部
２９  画素クロック生成回路
３０  倍率補正制御部
【図１】
2006181923.tif 000003
【図２】
2006181923.tif 000004
【図３】
2006181923.tif 000005
【図４】
2006181923.tif 000006
【図５】
2006181923.tif 000007
【図６】
2006181923.tif 000008
【図７】
2006181923.tif 000009
【図８】
2006181923.tif 000010
【図９】
2006181923.tif 000011
【図１０】
2006181923.tif 000012